(57)【要約】【課題】  取っ手のがたつきを防止し、かつ、製造コストの低減を図ることができる埋め込み式取っ手の提供を課題とする。【解決手段】  埋め込み式取っ手１は、取っ手本体４と、取っ手本体４を扉２に取り付けるための第１機構６と、第２機構８とを含む。取っ手本体４は、底面４０と、底面４０から起立し縦方向Ｙに延びる両側周面４１，４２と、底面４０から起立し横方向Ｘに延びる上下周面４３，４４とを含む。第１機構６は、縦方向Ｙに付勢可能なコイルバネ６０と、上爪部材６１および下爪部材６２と、これらコイルバネ６０と上下爪部材６１，６２とを収納する保持部材６３とを含む。第２機構８は、板バネ８０を含む。板バネ８０は、取っ手本体４の両側周面４１，４２であって、その横方向Ｘの外側に取り付けられている。扉２には、取っ手本体４を取り付ける取付孔を形成している。【選択図】図１
2010037859.tif 000002
【特許請求の範囲】
【請求項１】
第１方向およびこれと直交する第２方向を含む取っ手本体と、前記取っ手本体を扉に取り付ける取付機構とを含む埋め込み式取っ手において、
前記取っ手本体は、底面と、前記底面から起立し前記第１方向に延びる両側周面と、前記底面から起立し前記第２方向に延びる上下周面と、前記底面と反対側に位置し前記両側周面および上下周面によって形成された開口とを含み、
前記取付機構は、第１機構と第２機構とを含み、
前記第１機構は、前記上下周面から前記第１方向外側に突出し前記扉に係合可能な第１爪部材と、前記第１爪部材を前記第１方向外側に向かって付勢可能な第１付勢手段とを含み、
前記第２機構は、前記両側周面から前記第２方向外側に突出し前記扉に係合可能な第２爪部材と、前記第２爪部材を前記第２方向外側に向かって付勢可能な第２付勢手段とを含むことを特徴とする前記埋め込み式取っ手。
【請求項２】
前記第１付勢手段は、コイルバネを含み、
前記第１爪部材は、前記コイルバネの上下端に位置する上爪部材と下爪部材とを含み、
前記第１機構は、前記コイルバネおよび前記上下爪部材を前記第１方向に移動可能に収納する保持部材を含み、
前記保持部材は、前記コイルバネおよび前記上下爪部材を収納し前記第１方向に延びる管部と、前記取っ手本体に接合可能な取付部とを含む請求項１記載の埋め込み式取っ手。
【請求項３】
前記上爪部材の上端および前記下爪部材の下端には、縦軸に対して傾斜する傾斜部と、縦軸に対して略垂直となる垂直部とを含み、前記傾斜部が前記取っ手本体の前記底面側に位置し、前記垂直部が前記開口側に位置し、前記傾斜部が、前記扉に形成された取付孔に対して、前記第１付勢手段の付勢に抗して摺動可能に形成される請求項１または２記載の埋め込み式取っ手。
【請求項４】
前記第２付勢手段および前記第２爪部材は、板バネによって形成され、前記板バネの一部が、前記扉に形成された取付孔に対しその付勢に抗して摺動可能に形成される請求項１〜３のいずれかに記載の埋め込み式取っ手。
【請求項５】
前記保持部材の前記管部は、前記取っ手本体の前記底面と、前記両側周面および上下周面とで形成された空間部に把持可能に形成される請求項１〜４のいずれかに記載の埋め込み式取っ手。
【発明の詳細な説明】
【技術分野】
【０００１】
この発明は、扉に備える取っ手に関し、さらに詳しくは、扉に埋め込むタイプの取っ手であって、この扉を前後に開閉可能な埋め込み式取っ手に関する。
【背景技術】
【０００２】
従来、扉に備える埋め込み式の取っ手として、例えば、特開平１０−１１７８７０号公報（特許文献１）が公知である。この特許文献１によれば、収納庫の扉に、この扉を前後に開閉するための取っ手を取り付けている。取っ手は、扉に埋め込み式のものであって、ねじ等を用いることなく扉に取り付けることができるようにしている。すなわち、取っ手本体は、底壁と、左右の周壁と、上下端側周壁とを備え、これら底壁、左右周壁および下端側周壁にフックを形成している。取っ手が取り付けられる扉には、フックに係合する取付孔を形成し、これらフックと取付孔とを係合させることによって、取っ手本体を扉に取り付け可能としている。
【特許文献１】特開平１０−１１７８７０号公報
【発明の開示】
【発明が解決しようとする課題】
【０００３】
取っ手本体は、強度等を考慮してステンレス等の金属製であることが多く、扉も金属製であることが多い。このような取っ手本体のフックと、扉の取付孔とを係合させると、それらの接触部分ではどうしてもがたつきが生じ、扉の開閉に違和感が生じたり、衝突音が発生したりするという問題があった。
また、扉には、フックの位置にあわせて取付孔を形成しなければならず、その形成のために時間と手間がかかり、結果として製造コストの増加を招いていた。
【０００４】
この発明では、取っ手のがたつきを防止し、かつ、製造コストの低減を図ることができる埋め込み式取っ手の提供を課題とする。
【課題を解決するための手段】
【０００５】
この発明は、第１方向およびこれと直交する第２方向を含む取っ手本体と、前記取っ手本体を扉に取り付ける取付機構とを含む埋め込み式取っ手の改良に関わる。
【０００６】
この発明は前記埋め込み式取っ手において、前記取っ手本体は、底面と、前記底面から起立し前記第１方向に延びる両側周面と、前記底面から起立し前記第２方向に延びる上下周面と、前記底面と反対側に位置し前記両側周面および上下周面によって形成された開口とを含み、前記取付機構は、第１機構と第２機構とを含む。前記第１機構は、前記上下周面から前記第１方向外側に突出し前記扉に係合可能な第１爪部材と、前記第１爪部材を前記第１方向外側に向かって付勢可能な第１付勢手段とを含み、前記第２機構は、前記両側周面から前記第２方向外側に突出し前記扉に係合可能な第２爪部材と、前記第２爪部材を前記第２方向外側に向かって付勢可能な第２付勢手段とを含むことを特徴とする。
【０００７】
好ましい実施態様のひとつとして、前記第１付勢手段は、コイルバネを含み、
前記第１爪部材は、前記コイルバネの上下端に位置する上爪部材と下爪部材とを含む。前記第１機構は、前記コイルバネおよび前記上下爪部材を前記第１方向移動可能に収納する保持部材を含み、前記保持部材は、前記コイルバネおよび前記上下爪部材を収納し前記第１方向に延びる管部と、前記取っ手本体に接合可能な取付部とを含む。
【０００８】
好ましい他の実施態様のひとつとして、前記上爪部材の上端および前記下爪部材の下端には、縦軸に対して傾斜する傾斜部と、縦軸に対して略垂直となる垂直部とを含み、前記傾斜部が前記取っ手本体の前記底面側に位置し、前記垂直部が前記開口側に位置し、前記傾斜部が、前記扉に形成された取付孔に対して、前記第１付勢手段の付勢に抗して摺動可能に形成される。
【０００９】
好ましい他の実施態様のひとつとして、前記第２付勢手段および前記第２爪部材は、板バネによって形成され、前記板バネの一部が、前記扉に形成された取付孔に対しその付勢に抗して摺動可能に形成される。
【００１０】
好ましい他の実施態様のひとつとして、前記保持部材の前記管部は、前記取っ手本体の前記底面と、前記両側周面および上下周面とで形成された空間部に把持可能に形成される。
【発明の効果】
【００１１】
取っ手本体を扉に取り付ける機構として、第１機構と第２機構とを備えることとした。第１機構では、取っ手本体の上下周面から突出し扉に係合可能な第１爪部材を、第１付勢手段によって第１方向外側に向かって付勢可能としている。第２機構では、両側面から突出し扉に係合可能な第２爪部材を、第２付勢手段によって第１方向と直交する第２方向外側に向かって付勢可能としている。したがって、取っ手本体を扉に取り付ける場合には、扉に取っ手本体を取り付ける取付孔を形成するだけでよく、他の特別な部材等を形成する必要がない。したがって、製造コストの低減が可能となる。
さらに、第１爪部材および第２爪部材を第１および第２付勢手段で付勢することによって、扉と取っ手本体とのがたつきを抑制することができ、扉の開閉操作を滑らかにし、衝突音の発生を防止することができる。
【発明を実施するための最良の形態】
【００１２】
図１〜４に基づいて、この発明の一実施形態を説明する。図１は埋め込み式取っ手１を扉２に取り付けたときの斜視図、図２は取っ手１の分解組立図、図３は図１のＩＩＩ−ＩＩＩ線断面図、図４は図１のＩＶ−ＩＶ線断面図である。埋め込み式取っ手１は、筐体である取っ手本体４と、取っ手本体４を安定的に扉２に取り付けるための第１機構６と、第２機構８とを含む。これら第１機構６と第２機構８とによって、この発明の取付機構を形成している。扉２は、取っ手本体４を取っ手操作者の手前に引っ張ることによって開くことができるものであって、扉２および取っ手本体４において、扉２を開くために手を挿入する側を表面、その反対を裏面としている。
【００１３】
取っ手本体４は、底面４０と、底面４０から起立し第１方向である縦方向Ｙに延びる両側周面４１，４２と、底面４０から起立し第２方向であって縦方向Ｙと直交する横方向Ｘに延びる上下周面４３，４４とを含む。両側周面４１，４２と上下周面４３，４４とによって、底面４０の外周を覆う周壁が形成される。両側周面４１，４２および上下周面４３，４４によって、底面４０とは反対側に開口４５が形成される。開口４５では、両側周面４１，４２および上下周面４３，４４から略垂直に縦方向Ｙおよび横方向Ｘに延びるフランジ部４６が形成される。取っ手本体４は、底面４０、両側周面４１，４２および上下周面４３，４４によって空間部４７を形成している。このような取っ手本体４は、開口４５を扉２の表面に向かわせて取り付けられる。
【００１４】
第１機構６は、縦方向Ｙ外側に付勢可能なコイルバネ６０と、コイルバネ６０によって縦方向Ｙに付勢される第１爪部材を形成する上爪部材６１および下爪部材６２と、これらコイルバネ６０と上下爪部材６１，６２とを収納する保持部材６３とを含む。コイルバネ６０によってこの発明の第１付勢手段を形成している。
上爪部材６１は、コイルバネ６０の縦方向Ｙの上端に位置し、下爪部材６２は、コイルバネ６０の下端に位置し、それぞれ略円柱形を形成している。上爪部材６１の上端および下爪部材６２の下端は、それら上下爪部材６１，６２の軸線に傾斜する傾斜部６４，６５と、軸線に直交し略垂直となる垂直部６６，６７とを含み、傾斜部が底面４０側に、垂直部が開口４５側になるように位置させている。傾斜部６４，６５は、縦方向Ｙの外側から内側に向かって、開口４５から底面４０へと延びるように傾斜している。これら傾斜部６４，６５は垂直部６６，６７よりも縦方向Ｙの外側に位置する。上下爪部材６１，６２は、コイルバネ６０によって縦方向Ｙ外側へと付勢されている。
【００１５】
保持部材６３は、コイルバネ６０および上下爪部材６１，６２を縦方向Ｙに移動可能に収納する管部６８と、取っ手本体４に接合可能な取付部６９とを含む。具体的には、保持部材６３は、一枚の板の一端を円柱を形成するように丸めて管部６８を形成し、丸めていない平面を有する他端を取付部６９としている。取付部６９をフランジ４６の表面側に当接させ、管部６８を空間部４７に位置させる。取付部６９には、透孔７０を形成し、これに挿入されたねじ、リベットなどの止着部材１０によって保持部材６３が取っ手本体４に接合される。取っ手本体４の上下周面４３，４４には、上下爪部材６１，６２に形成された傾斜部６４，６５が突出する爪部支持孔４８が形成されている。
【００１６】
取っ手本体４の両側周面４１，４２であって、その横方向Ｘの外側には一対の板バネ８０を取り付けている。板バネ８０によって、この発明の第２付勢手段を形成している。板バネ８０は縦方向Ｙに延びる第１バネ部８１と第２バネ部８２と、第１バネ部８１を取っ手本体４に取り付けるための取付部８３とを含む。第１バネ部８１はその一側縁で取付部８３に接続し、他側縁で第２バネ部８２と接続している。第２バネ部８２は、第１バネ部８１に接続する基端縁８６と、その反対側に位置する自由端縁８７とを含む。第２バネ部８２の自由端縁８７によって、この発明の第２爪部材を形成している。
上記のような一対の板バネ８０の一方の取付部８３には透孔８４を形成し、他方の取付部８３には透孔８５を形成している。板バネ８０は、透孔８４，８５に挿入されたねじ、リベットなどの止着部材１０，１１によって、取っ手本体４のフランジ４６の裏面側に取り付けられる。なお、一方の板バネ８０は、保持部材６３を介して取っ手本体４に取り付けられ、他方の板バネ８０は直接取っ手本体４に取り付けられる。したがって、一方の板バネ８０の第１バネ部８１の第２バネ部８２までの長さ寸法は、他方のそれに比べて保持部材６３の厚み分だけ短くなるようにしている。
【００１７】
取っ手本体４の表面側には、カバー９を取り付ける。カバー９は、取っ手本体４のフランジ４６を覆うとともに、取っ手本体４に取り付けた保持部材６３の取付部６９を覆い、その他の部分では空間部４７が露出されるように開口９０を形成している。カバー９には透孔９１，９２を形成し、これらに止着部材１０，１１を挿入することによって、カバー９が取っ手本体４に取り付けられる。止着部材１０は、カバー９の透孔９１と、保持部材６３の透孔７０と、取っ手本体４の透孔４９と、板バネ８０の透孔８４とを貫通し、これらを一体となるように接合する。止着部材１１は、カバー９の透孔９２と、取っ手本体４の透孔５０と、板バネ８０の透孔８５とを貫通し、これらを一体となるように接合する。
なお、図示していないが、取っ手本体４、カバー９および板バネ８０の一体化は、それらが金属から形成されている場合には、スポット溶接で接合することができ、それらがプラスチックから形成されている場合には、接着剤で接合することができる。
【００１８】
扉２には取っ手本体４の側周面４１から側周面４２までの縦方向Ｙの長さ寸法とほぼ一致し、上周面４３から下周面４４までのの横方向Ｘの長さ方向とほぼ一致する取付孔２０を形成している。ただし、取付孔２０の縦方向Ｙに延びる両側縁２１には、板バネを支持する凹欠部２２が形成されている。
【００１９】
上記のような取っ手本体４を、扉２に取り付ける。取っ手本体４は、扉２に取り付ける前に、第１機構６、第２機構８、およびカバー９が接合され、これらが一体に形成される。このような取っ手本体４を扉２の取付孔２０に向かってはめ込むように押し付ける。取っ手本体４を押し付けると、第２機構８の板バネ８０が取付孔２０の両側縁２１に圧接される。すなわち、第２バネ部８２が凹欠部２２に圧接し、第２バネ部８２をその付勢に抗して挾圧させながらこの凹欠部２２に対して摺動して、取付孔２０の奥へと向かう。第２バネ部８２が凹欠部２２を通り過ぎると、バネ部材の付勢によって、第２バネ部８２の自由端縁８７が横方向Ｘ外側に復元拡張し、扉２の裏面と当接する。このように第２バネ部８２の自由端縁８７が復元拡張し、扉２の裏面に当接することによって、取っ手本体４の抜け止めとなる。
【００２０】
上記取っ手本体４を扉２の取付孔２０に押し付けると、第１機構６の上下爪部材６１，６２に形成された傾斜部６４，６５が取付孔２０の上下端縁２３，２４に当接する。さらに取っ手本体４を押し付けると、傾斜部６４，６５が上下端縁２３，２４に対して摺動し、コイルバネ６０を縦方向Ｙに圧縮させながら、取付孔２０の奥へと向かう。傾斜部６４，６５が上下端縁２３，２４を越えたところで、上下爪部材６１，６２がコイルバネ６０の付勢によって縦方向Ｙの外側に復元拡張し、垂直部６６，６７が取付孔２０の上下端縁２３，２４に当接する。このように上下爪部材６１，６２が縦方向Ｙに復元拡張し、垂直部６６，６７が扉２の取付孔２０に当接することによって、取っ手本体４の抜け止めとなる。さらに、垂直部６６，６７はコイルバネ６０によって縦方向Ｙに付勢されているから、取付孔２０に対する取っ手本体４の縦方向Ｙのがたつきを防止することができる。扉２の取付孔２０に対して取っ手本体４のがたつきを防止できるので、扉の開閉が滑らかになり、がたつきによる衝突音が発生することもない。
また、取付孔２０の両側縁２１は、第２バネ部８２が摺動可能な大きさを有していればよいので、取っ手本体４の横方向Ｘにおいて取付孔２０との間隔を大きくする必要がなく、大きながたつきが発生することがない。
【００２１】
扉２には、取っ手本体４を取り付けるための取付孔を形成するだけでよいので、それ以外の特別な処理工程を必要とせず、製造コストの削減が可能となる。また、取っ手本体４を扉２の取付孔２０に押し付けるだけで、これらを取り付けることができるので、取っ手本体４を扉２に取り付けるためにねじ等を使用する必要がなく、容易にかつ短時間で取り付けをすることができる。取っ手本体４に保持部材６３を取り付けることによって、この保持部材６３を把持部として使用することができるので、特別に把持部を形成する必要がなく、その分製造コストの低減を図ることができる。保持部材６３の管部６８を把持することが可能であり、管部６８が円筒形を有しているので、これを握ったときには手になじみやすく、開閉の操作を容易にすることができる。
【図面の簡単な説明】
【００２２】
【図１】取っ手の斜視図。
【図２】取っ手の分解組立図。
【図３】図１のＩＩＩ−ＩＩＩ線断面図。
【図４】図１のＩＶ−ＩＶ線断面図。
【符号の説明】
【００２３】
１    埋め込み式取っ手
２    扉
２０    取付孔
４    取っ手本体
４０    底面
４１    側周面
４２    側周面
４３    上周面
４４    下周面
４５    開口
４７    空間部
６    第１機構
６０    コイルバネ（第１付勢手段）
６１    上爪部材（第１爪部材）
６２    下爪部材（第１爪部材）
６３    保持部材
６４    傾斜部
６５    傾斜部
６６    垂直部
６７    垂直部
６８    管部
６９    取付部
８    第２機構
８０    板バネ（第２付勢手段）
８１    第１バネ部
８２    第２バネ部（第２爪部材）
【図１】
2010037859.tif 000003
【図２】
2010037859.tif 000004
【図３】
2010037859.tif 000005
【図４】
2010037859.tif 000006